(57)【要約】【課題】削孔するための削孔水を送水するホースと薬液を注入するためのホースを外管内に入れ替える必要がなく、また、ダブルパッカーも不要であり、構造簡単で施工性の向上も図れる薬液注入工法およびその装置を得る。【解決手段】削孔水送水用ホース６と薬液注入用ホース７とを並べて内挿した、少なくとも一部に曲管部を有する外管５の、前記削孔水送水用ホース６の先端から削孔水を噴出しながら削孔し、次いで、この削孔内に薬液注入ホース７の先端から吐出した薬液を注入する。【選択図】        図１
2005076177.tif 000002
【特許請求の範囲】
【請求項１】
削孔水送水用ホースと薬液注入用ホースとを並べて内挿した、少なくとも一部に曲管部を有する外管の、前記削孔水送水用ホースの先端から削孔水を噴出しながら削孔し、次いで、この削孔内に薬液注入ホースの先端から吐出した薬液を注入することを特徴とする薬液注入工法。
【請求項２】
少なくとも一部に曲管部を有する外管内に、削孔水送水用ホースと薬液注入用ホースとを並べて挿入し、前記外管先端に設けたモニター部に、前記削孔水送水用ホースと薬液注入用ホースとにそれぞれ連通する削孔水の噴出口と薬液の吐出口とを設けたことを特徴とする薬液注入装置。
【請求項３】
前記モニター部に形成される薬液の吐出口および削孔水の噴出口へのそれぞれの連通路に逆止弁を設けたことを特徴とする請求項２記載の薬液注入装置。
【請求項４】
前記薬液の吐出口は逆止弁の機能を備えることを特徴とする請求項２または請求項３に記載の薬液注入装置。
【発明の詳細な説明】
【０００１】
【発明の属する技術分野】
この発明は、地盤改良を行なう薬液注入工法およびその装置に関するものである。
【０００２】
【従来の技術】
薬液注入工法により、地中に埋設されている既設の構造物１の直下の地盤改良を行なう場合があり、かかる場合、例えば、図６に示すように、構造物１の直下の領域に薬液を注入するには、当該領域に連通する直線状であるボーリング孔３ａ、３ｂを複数穿孔し、地上部から当該ボーリング孔３ａ、３ｂにロッド（図示せず）を挿通して薬液を注入することにより対応していた。
【０００３】
しかし、構造物１の直下に近接した領域にボーリング孔３ｃを穿孔するには地盤とボーリング孔３ｃとの角度を小さくし、このボーリング孔３ｃの長さを長く確保する必要があり、作業領域の関係から施工できない場合が生じることがあり、有効な対策が望まれていた。
【０００４】
かかる要望に応えるものとして、従来、例えば、シールド機に、胴部が屈曲可能または曲管であって管壁部分に長手方向に沿って所定間隔で複数のノズルが設けられた注入用外管と、屈曲可能または曲管からなる内管の先方に掘削装置を取付けるとともに、この掘削装置を前記注入用外管内に挿通可能に配置し、シールド機側から前記掘削装置の先端ビットの回転による掘進とともに注入用外管をシールド掘削孔の掘進方向と略平行的に、または円弧状に挿入設置した後、注入用外管を残置した状態で前記内管を掘削装置とともに引抜き、前記注入用外管内にダブルパッカ−付注入装置を挿入し、ダブルパッカーのそれぞれを位置決めした状態で前記注入用外管のノズルを介し地盤中に地盤改良剤を注入して地盤改良し、ダブルパッカー付注入装置を注入用外管から撤去した後、注入用外管内にコンクリートを充填するようにした地盤改良工法がある（例えば、特許文献１参照）。
【０００５】
【特許文献１】
特許公報第２７７０１１２号
【０００６】
【発明が解決しようとする課題】
前記特許公報第２７７０１１２号の発明では、外管に内管を挿入し、内管の先端の掘削装置で地盤を掘削した後、内管を外管から引き抜く工程を必要とし、さらに、外管の周壁に長手方向に所定間隔で設けた複数のノズルから地盤改良剤を注入する工法であるため、ダブルパッカー付注入装置を必要とするだけでなく、このダブルパッカー付き装置を外管内に挿入する工程も必要で、施工性がよくない。
【０００７】
また、削孔完了後に内管を引き抜いたとき、外管に設けたノズルから土砂水が噴出することを防止するために管周囲を止水する必要があり、シール材を注入する工程を要する。
【０００８】
この発明の目的は前記従来例の不都合を解消し、削孔するための削孔水を送水するホースと薬液を注入するためのホースを外管内に入れ替える必要がなく、また、ダブルパッカーも不要であり、構造簡単で施工性の向上も図れる薬液注入工法およびその装置を提供することにある。
【０００９】
【課題を解決するための手段】
この発明は前記目的を達成するため、請求項１に記載の本発明は、削孔水送水用ホースと薬液注入用ホースとを並べて内挿した、少なくとも一部に曲管部を有する外管の、前記削孔水送水用ホースの先端から削孔水を噴出しながら削孔し、次いで、この削孔内に薬液注入ホースの先端から吐出した薬液を注入することを特徴とする。
【００１０】
請求項１に記載の発明によれば、外管内に削孔水送水用ホースと薬液注入用ホースとを予め並べて挿入してあるから、削孔水送水用ホースを使用して削孔水を噴出し削孔した後、続けて薬液注入用ホースから削孔内に薬液を注入できる。よって、掘削後にホースを入れ替える工程がなくなり、施工性が向上する。
【００１１】
請求項２に記載の本発明は、少なくとも一部に曲管部を有する外管内に、削孔水送水用ホースと薬液注入用ホースとを並べて挿入し、前記外管先端に設けたモニター部に、前記削孔水送水用ホースと薬液注入用ホースとにそれぞれ連通する削孔水の噴出口と薬液の吐出口とを設けたことを特徴とする。
【００１２】
請求項２に記載の発明によれば、請求項１に記載の発明と同様に、外管内に削孔水送水用ホースと薬液注入用ホースとを並べて挿入し、外管の先端に削孔水の噴出口と薬液の吐出口とを設けたから、削孔と薬液注入とを連続して行なえる。また、削孔水の噴出も薬液注入も外管先端のモニター部から行なうから、外管の周壁に注入孔を形成しない。よって、ダブルパッカーが不要で、構造簡単となり、施工性も向上する。
【００１３】
請求項３に記載の本発明は、前記モニター部に形成される薬液の吐出口および削孔水の噴出口へのそれぞれの連通路に逆止弁を設けたことを特徴とする。
【００１４】
請求項３に記載の発明によれば、削孔水による掘削終了後、従来のようにシール材を注入しなくても吐出口から土砂水が外管内に逆流することを防止できる。また、薬液の注入中に削孔水の噴出口から薬液が逆流してくることを防止できる。
【００１５】
請求項４記載の本発明は、前記薬液の吐出口は逆止弁の機能を備えることを特徴とする。
【００１６】
請求項４記載の発明によれば、薬液の吐出口自体にも逆止弁の機能を付与させることで、薬液注入中にも吐出口から薬液が逆流することを防止できる。
【００１７】
【発明の実施の形態】
以下、図面についてこの発明の実施の形態を詳細に説明する。この発明も図６に示した従来例と同様に地中に埋設されている既設の構造物１の直下の領域の地盤を改良するものであり、図１はこの発明の薬液注入装置の第１実施形態を示す縦断側面図、図２は同上縦断正面図、図３は第２実施形態の縦断側面図、図４は薬液注入装置の正面図である。
【００１８】
この発明の薬液注入装置は、図５に示すように円弧状または少なくとも一部に曲管部を有する外管５と、この外管５内に挿入されて外管５の曲がりに追随して変形可能となるように可撓性の材質のものを用いた削孔水送水用ホース６と薬液注入用ホース７とで構成され、前記削孔水送水用ホース６と薬液注入用ホース７とは外管５内に並べて配置され、例えば図２に示すように１本の削孔水送水用ホース６と２本の薬液注入用ホース７とを挿入した。
【００１９】
この場合、外管５内に複数本のホースが同時に挿入可能なよう、例えば、削孔水送水用ホース６は直径３／８インチの、薬液注入用ホース７は直径１／４インチの小径のホースを採用した。
【００２０】
前記外管５の先端にモニター部８を取付ける。接続手段としては、図４に示すように、ネジボルト９をモニター部８の先端から挿し込み、このネジボルトでモニター部８と外管５とを結合する。
【００２１】
モニター部８には、先端に削孔水の噴出口１１を斜め方向に向けて複数（図示の例では３個）形成するとともに、周囲に薬液の吐出口１２を周方向にそって複数（図示の例では４個）を適宜間隔で設けた。
【００２２】
そして、前記噴出口１１をモニター部８に形成した隔壁で仕切られた削孔水連通路１３を介して掘削用ホース６に接続し、吐出口１２を同じくモニター部８内に中空部として形成された注入材連通路１４を介して薬液注入用ホース７に接続する。
【００２３】
このようにしてこの発明では、外管５内に予め削孔水送水用ホース６と複数の薬液注入用ホース７とが並べて配管され、薬液注入用ホース７と注入材連通路１４との接続部には吐出口１２の側から薬液が逆流することを阻止するための逆止弁１５を設ける。また、削孔水送水用ホース６と削孔水連通路１３との接続部にも逆流防止用の逆止弁１７を設ける。さらに、前記注入口１２自体の構造も逆止弁の機能を備えるものとする。
【００２４】
次に、かかる薬液注入装置を使用して地盤改良を行なう方法を説明する。既存の地下の構造物１の直下の領域の地盤改良を行なうには、削孔水送水用ホース６と薬液注入用ホース７とを内部に挿通してある外管５の基端部の所定位置に図５に示すようにスライドジャッキ１６のロッド１６ａを取り付けて、このロッド１６ａを伸長することにより、外管５内の掘削用ホース６から高圧の掘削水をモニター部８に形成の削孔水連通路１３に圧送し、先端の噴出口１１から掘削水を地中に噴出して削孔する。
【００２５】
この場合、外管５は円弧状または少なくとも一部が曲管に形成してあり、また、外管５内に挿通してある削孔水送水用ホース６と薬液注入用ホース７とは可撓性の材質で構成してあるから、外管５の曲がりに追随し、外管５および削孔水送水用ホース６と薬液注入用ホース７との先端を、既存の地下の構造物１を避けてその直下に位置させることができる。
【００２６】
削孔が終了すれば、掘削水の噴出を停止し、そのままの状態で次いで薬液注入用ホース７から薬液をモニター部８に形成の注入材連通路１４に圧送し、ここに形成してある吐出口１２からモニター部８の周囲の対象地盤に薬液を注入する。
【００２７】
この掘削から薬液注入への切り替え時に、削孔水送水用ホース６と薬液注入用ホース７とはともに外管５内に予め並列して配設されているから、ホースの入れ替え作業は不要であり、掘削終了後に直ちに薬液注入に移行できる。また、注入材連通路１４には逆止弁１５を設けたから、掘削終了後に土砂水がモニター部８内に逆流して流路が閉塞されることを阻止でき、薬液注入中には削孔水連通路１３に設けた逆止弁１７により噴出口１１から薬液が逆流することを防止できる。さらに、吐出口１２自体も逆止弁の機能を有するから、薬液注入中にここから薬液が逆流することを防げる。
【００２８】
所定量の注入が終了すれば、掘削または引き抜きながら外管５を所定の場所に移動して前記と同様の作業を連続して繰り返すことにより、薬液注入領域の全域への薬液注入作業を行なう。
【００２９】
なお、外管５は作業終了後に撤去してもよいし、地盤改良領域における芯材としてその効果を期待してそのまま残置しておいてもよい。前記第１実施形態は、逆止弁１５の設置位置として，注入材連通路１４との間に空間を介在させたが、これに限定されるものではなく、図３の第２実施形態のように逆止弁１５を注入材連通路１４にすぐにつなげるようにすることもできる。
【００３０】
【発明の効果】
以上述べたようにこの発明の薬液注入工法およびその装置は、削孔するための削孔水を送水するホースと薬液を注入するためのホースを外管内に予め並べて配管したから、削孔作業終了後に薬液注入用ホースに入れ替える必要がなく、また、外管の先端に別途取付けたモニター部に薬液の吐出口を設けたから、ダブルパッカーも不要であり、構造簡単で施工性の向上も図れるものである。
【図面の簡単な説明】
【図１】この発明の薬液注入装置の第１実施形態を示す縦断側面図である。
【図２】この発明の薬液注入装置の第１実施形態を示す縦断正面図である。
【図３】この発明の薬液注入装置の第２実施形態を示す縦断側面図である。
【図４】この発明の薬液注入装置の実施形態を示す正面図である。
【図５】この発明の薬液注入工法の実施形態を示す側面図である。
【図６】従来の薬液注入装置を示す概念図である。
【符号の説明】
１  構造物
３ａ、３ｂ、３ｃ  ボーリング孔
５  外管                        ６  削孔水送水用ホース
７  薬液注入用ホース            ８  モニター部
９  ネジボルト                  １１  噴出口
１２  吐出口                    １３  削孔水連絡路
１４  注入材連通路              １５  逆止弁
１６  スライドジャッキ          １６ａ  ロッド
１７  逆止弁
【図１】
2005076177.tif 000003
【図２】
2005076177.tif 000004
【図３】
2005076177.tif 000005
【図４】
2005076177.tif 000006
【図５】
2005076177.tif 000007
【図６】
2005076177.tif 000008